(57)【要約】【課題】ロータ外周面からのピックアップピンの突出量を安定させ、また、釣糸放出時には、ピックアップピンを確実にロータ外周から引き込ませる構成のクローズドフェースリールを提供する。【解決手段】本発明は、ハンドル回転で連動回転するロータ３０に、釣糸をスプール３に案内するピックアップピン３５が出没可能に装着され、リール本体２に設けた操作部材４３の操作でピックアップピン３５の先端部を、ロータ３０の外周面より径方向外方に突出する釣糸巻き取り位置からロータ外周面から突出しない釣糸放出位置に切換え可能としたクローズドフェースリールにおいて、釣糸巻き取り位置にある時にピックアップピン３５を、ロータ３０の外周面３０ａより径方向外方に突出する方向に付勢すると共に、リール本体２に設けた操作部材４３の操作で、ピックアップピン３５を、ロータ外周面から突出しない釣糸放出位置に付勢力に抗して強制的に切換可能とする。【選択図】    図１
2005095087.tif 000002
【特許請求の範囲】
【請求項１】
ハンドル回転で連動回転する回転軸の先端部に取り付けられたロータに、釣糸をスプールに案内するピックアップピンが前記回転軸に直交する方向に移動可能に装着され、リール本体に設けた操作部材の操作で前記ピックアップピンの先端部を、前記ロータの外周面より径方向外方に突出する釣糸巻き取り位置からロータ外周面から突出しない釣糸放出位置に切換え可能としたクローズドフェースリールにおいて、
前記釣糸巻き取り位置にある時に前記ピックアップピンを、前記ロータ外周面より径方向外方に突出する方向に付勢すると共に、リール本体に設けた操作部材の操作で、前記ピックアップピンを、ロータ外周面から突出しない釣糸放出位置に付勢力に抗して強制的に切換可能としたことを特徴とするクローズドフェースリール。
【発明の詳細な説明】
【技術分野】
【０００１】
本発明は、ハンドル回転で連動回転するロータの外周に、釣糸をスプールに案内するピックアップピンを出没自在に設けると共に、前記スプール及びロータを覆うカバーを備えたクローズドフェースリールに関する。
【背景技術】
【０００２】
一般的に、上記したタイプのクローズドフェースリールは、例えば、特許文献１及び特許文献２に開示されているように、リール本体の後部に設けたプッシュボタンの押込み操作や、脚部に設けたレバーの引き上げ操作等によって、先端部にロータが固定された回転軸を前方側にシフトさせるように構成されている。このように、回転軸が上記した操作によって前方側にシフトされると、ロータの外周にバネ力に抗して径方向外方に突出するように装着されたピックアップピンの突出規制状態が解除されて、バネ力によってピックアップピンがロータ内側に入り込む状態（クラッチＯＦＦ状態）に移行され、釣糸が放出可能となる。
【特許文献１】実公昭５９−２００５８号公報
【特許文献２】実公平４−２５９７２号公報
【発明の開示】
【発明が解決しようとする課題】
【０００３】
上記したピックアップピンは、バネ力に抗してロータの外周よりその先端部が径方向外方に突出するようにロータに装着されると共に、その基端部は、回転軸が回転且つ軸方向移動可能に嵌挿されるリール本体に固定された支持筒の端部外周面にバネ力で圧接された状態でピックアップピンが支持筒の端部外周周りを摺動するので、摺動時の抵抗で巻き取り駆動時のハンドル回転が重くなる不具合を生じる。また、同様の理由からピックアップピンが磨耗し易い。そのため、ロータ外周からの突出量が次第に少なくなってしまい、巻き取り操作時に釣糸を確実にピックアップできなくなる不具合が発生する。
【０００４】
また、プッシュボタンやレバーの操作等で、ピックアップピンがロータと共に前方に移動したときに、支持筒端部外周面から離間してバネ力でピックアップピンがロータ内側に引っ込む構成のため、釣糸によってピックアップピンに負荷が掛かっている場合には、プッシュボタンやレバーを操作してもピックアップピンが引っ込まない現象が生じることがあり、釣糸が放出できなくなるという問題が生じる。
【０００５】
本発明は、このような問題に着目してなされたものであり、巻き取り時のハンドル回転が軽快で、かつロータ外周面からのピックアップピンの突出量を安定させ、また、釣糸放出時には、ピックアップピンを確実にロータ外周から引き込ませる構成のクローズドフェースリールを提供することを目的とする。
【課題を解決するための手段】
【０００６】
上記した課題を解決するために、本発明に係るクローズドフェースリールは、ハンドル回転で連動回転する回転軸の先端部に取り付けられたロータに、釣糸をスプールに案内するピックアップピンが前記回転軸に直交する方向に移動可能に装着され、リール本体に設けた操作部材の操作で前記ピックアップピンの先端部を、前記ロータの外周面より径方向外方に突出する釣糸巻き取り位置からロータ外周面から突出しない釣糸放出位置に切換え可能とした構成において、前記釣糸巻き取り位置にある時に前記ピックアップピンを、前記ロータ外周面より径方向外方に突出する方向に付勢すると共に、リール本体に設けた操作部材の操作で、前記ピックアップピンを、ロータ外周面から突出しない釣糸放出位置に付勢力に抗して強制的に切換可能としたことを特徴とする。
【０００７】
上記した構成では、ロータの外周面から突出して釣糸をピックアップするピックアップピンを、付勢手段によって突出する方向に付勢していることから、巻き取り駆動時にピックアップピンを支持筒から離間した非接触状態に保持して駆動抵抗を軽減し、かつピックアップピンの突出量の安定化が図れ、巻き取り操作時における釣糸のピックアップ不良が確実に防止される。また、釣糸放出時では、リール本体に設けられた操作部材を操作することで、ピックアップピンを上記した付勢力に抗して強制的に釣糸放出位置に切換えるため、釣糸によってピックアップピンに負荷が加わっていても、確実にピックアップピンを引っ込めることが可能となる。
【発明の効果】
【０００８】
本発明によれば、ロータ外周面からのピックアップピンの突出量が安定して、巻き取り操作時における釣糸のピックアップ不良が確実に防止できると共に、釣糸放出時には、ピックアップピンを確実にロータ外周から引き込ませる構成のクローズドフェースリールが得られる。
【発明を実施するための最良の形態】
【０００９】
図１〜図６は、本発明に係るクローズドフェースリールの第１の実施形態を示す図であり、図１は、釣糸巻き取り時における内部構成を示す図、図２は、図１のＡ−Ａ線に沿った断面図、図３は、操作部材を引き上げ操作した際の内部構成を示す図、図４は、図３のＢ−Ｂ線に沿った断面図、図５は、操作部材を初期位置に戻した際の内部構成を示す図、そして、図６は、操作部材を押し下げ操作した際の内部構成を示す図である。
【００１０】
クローズドフェースリール１のリール本体２には、前方に向けて突出するスプール支持筒２ａが形成されており、その外周側には、釣糸が巻回されるスプール３が回転可能に支持されている。なお、スプール支持筒２ａの外周には、雄ネジ部２ｂが形成されており、ここに螺合される抜け止め部材５によってスプール３は抜け止めされている。また、この雄ネジ部２ｂの外周には、制動装置７が配設されており、釣糸が繰り出された際にスプール３に対して所定の制動力を付与するようになっている。
【００１１】
前記リール本体２内には、回転操作されるハンドル（図示せず）を装着したハンドル軸１０が回転可能に支持されており、そこにはフェースギヤ１１が取り付けられている。また、リール本体２内には、一対の軸受１３を介して前記ハンドル軸と直交する方向に延出する筒軸（回転軸）１５が回転可能に支持されており、この筒軸の基端側には、前記フェースギヤ１１と噛合するようにピニオン１５ａが形成されている。
【００１２】
前記筒軸１５とリール本体２との間には、前記一対の軸受間において、筒軸１５を一方向のみに回転可能とするように一方向クラッチ１７が設けられている。また、リール本体２には、筒軸１５内に挿通するように、摺動軸２０が軸方向に移動可能で、かつ回転不能となるように設けられており、その後端部には、クラッチ付勢バネ２２が配設されて、摺動軸２０を、常時、後方側に向けて付勢している。
【００１３】
この摺動軸２０の前方側には、後述するピックアップピンを強制的に釣糸巻き取り位置から釣糸放出位置に切換える切換え部材２５が固定されている。この切換え部材２５は、略円錐台形状に形成されており、その前方側となる表面２５ａにおいて、釣糸放出操作時に、後述するカバー部材の内面との間で釣糸Ｓを挟持するように構成されている。また、裏面２５ｂの中央領域には、凹所２５ｃが形成されており、釣糸巻取り操作時において、以下に述べるロータ固定用のナットが位置するように構成されている。
【００１４】
前記筒軸１５の先端側には、スプール側に開口する蓋状に形成されたロータ３０が、ナット３１によって筒軸１５と一体回転且つ軸方向に移動不能となるように取り付けられており、ハンドルを回転操作することで、前記フェースギヤ１１及びピニオン１５ａを介して、その円周壁３０ａがスプール３の周りを回転するようになっている。なお、ロータ３０の中央領域には、凹所３０ｃが形成されており、釣糸巻取り操作時に、この凹所内に前記切換え部材２５が位置するように構成されている。
【００１５】
前記ロータ３０の円周壁３０ａには、その表面から出没自在となるように、ピックアップピン３５が配設されている。  
本実施形態におけるピックアップピン３５は、ロータ内に位置する本体部３５ａと、円周壁３０ａに形成された孔３０ｄ内に位置し、釣糸をピックアップするピン３５ｂとによって構成されており、本体部３５ａにはロータ３０の径方向に延出する長孔３５ｃが形成されている。そして、この長孔３５ｃには、ロータ３０の前面壁３０ｂに螺入される支持ネジ３６が配設されており、これにより、ピックアップピン３５は、径方向（筒軸１５と直交する方向）に移動可能となるようにロータ３０に支持されている。
【００１６】
前記本体部３５ａの両側には、前記凹所３０ｃを規定する壁部３０ｅを囲繞するようにリング形状のプレート３７が配置されており、本体部３５ａは、その両側において、プレート３７に形成された保持部３７ａによって挟着保持されている。前記プレート３７は、ピックアップピン３５が保持される位置から両側略９０°の位置で、引張バネ３８によって、回転軸に対して直交する方向（前記長孔３５ｃ方向）にスライド可能となるように支持されている。すなわち、図２及び図４に示すように、ロータ３０の前面壁３０ｂの両サイドに形成された厚肉部３０ｆに固定されるピン３８ａ、及び、前記プレート３７の突部３７ｂに固定されるピン３８ｂに、各両端が支持された引張バネ３８の伸縮によって、プレート３７は、回転軸に対して直交する方向にスライドされるようになっている。
【００１７】
この場合、厚肉部３０ｆには、突部３７ｂの上下位置を規制するための凹状切欠き３１が形成されており、引張バネ３８によってプレート３７が引き上げられた状態では、上方規制部３１ａに当て付く（このとき、ピックアップピン３５のピン３５ｂは、その後端面３５ｓが切換え部材部材２５の環状外周面２５ｄから所定の隙間Ｓの分、離間して保持され、かつロータ３０の外周面から所定量突出した状態が維持される；クラッチＯＮ状態）。また、プレート３７が、上記した切換え部材２５によって、強制的に下方にスライドされた状態では、下方規制部３１ｂに当て付く（このとき、ピックアップピン３５のピン３５ｂは、ロータ３０内部に没した状態となる；クラッチＯＦＦ状態）。
【００１８】
また、前記プレート３７の下端位置には、前方側に向けて次第に上昇するように傾斜舌片３７ｃが形成されており、この傾斜舌片３７ｃは、前記壁部３０ｅの下端領域に形成された切欠き３０ｇを介して前方側に露出しており、前記切換え部材２５が前方に向けて移動された際、その表面２５ａと面接触して、その傾斜関係により、プレート３７を下方に押し下げる役目を有している。
【００１９】
また、リング状のプレート３７に一体形成された傾斜舌片３７ｃの先端部には、水平方向に折り曲げられた押し下げ面３７ｄが形成されており、この押し下げ面３７ｄが、摺動軸２０と共に前方に移動された切換え部材２５の外周面２５ｄに乗り上がるように構成されている。なお、外周面２５ｄに押し下げ面３７ｄが乗り上がる際、プレート３７は、切換え部材２５の表面２５ａと面接触して前記引張バネ３８の付勢力に抗して下方に押し下げられ、この状態でピックアップピン３５は、図３及び図４に示すように、ロータ内に没した状態が維持される。
【００２０】
前記リール本体２の前方側には、スプール３及びロータ３０を覆うと共に、前方において釣糸Ｓを導出するための釣糸挿通孔４０ａが形成されたカバー部材４０が着脱可能に配設されている。この場合、スプール３に巻回された釣糸Ｓは、ロータ３０の円周壁３０ａとカバー部材４０の内面との間の隙間を通って釣糸挿通孔４０ａから導出される。
【００２１】
前記リール本体２には、支軸４２を介してクラッチ操作レバー（以下、操作部材）４３が回動可能に軸支されている。この操作部材４３の一端側は、支軸の一端側がリール本体の支軸部分から前方に向けて延出しており、その端部に釣竿を握持した状態で操作可能な操作部４３ａが形成されている。また、操作部材４３の他端側は、支軸部分からリール本体内に延出しており、その端部に上記した摺動軸２０の後端に突設されたピン部材２０ａに嵌る切欠き溝４３ｂが形成されている。
【００２２】
そして、前記リール本体２には、操作部材４３の端部と協働する当て付け機構５０が設けられている。この当て付け機構５０は、操作部材４３を引き上げ操作、及び押し下げ操作した際に駆動されるようになっており、操作部材４３を離した際にクラッチＯＦＦ状態を維持する機能を有する。以下、この当て付け機構５０の構成について説明する。
【００２３】
当て付け機構５０は、屈曲されたＬ字状の回動部材５１を備えており、その中心部で支軸５１ａによって回動可能に支持され、一方の片５２及び他方の片５３が夫々当て付け部、回動操作部として交互に機能するべく構成されている。一方の片５２には、操作部材４３の後端面４３ｃが当接され、他方の片５３には、操作部材４３の係合部４３ｄが係合可能となっている。なお、操作部材４３の後端面４３ｃと係合部４３ｄとの間には、上記したピン部材２０ａに嵌る切欠き溝４３ｂが形成されており、操作部材４３の回動操作（引き上げ操作／押し下げ操作）は、直接、摺動軸２０に作用するようになっている。
【００２４】
また、前記した回動部材５１は、振り分けバネ５５によって、図１に示す位置と図３に示す位置との間で振り分け保持されるようになっており、その振り分け位置は、一方の片５２、及び他方の片５３が、それぞれリール本体２の規制面２ｅ，２ｆに当て付くことによって、その回動が規制され、振り分け保持される。
【００２５】
なお、振り分けバネ５５の付勢力は、前記付勢バネ２２の付勢力よりも大きく設定されている。また、上記した当て付け機構５０の回動部材５１と、摺動軸２０と共に移動する切換え部材２５の外周面２５ｄと、外周面２５ｄに乗り上がる押し下げ面３７ｄとは、操作部材４３を一旦引き上げ操作して、指を離した際、切換え部材２５の外周面２５ｄに押し下げ面３７ｄが乗ったままで、後端面４３ｃが回動部材５１の一方の片５２に当て付くように設定されている（振り分けバネ５５の付勢力＞付勢バネ２２の付勢力のため、後端面４３ｃの一方の片５２に対する当て付け状態は維持される；クラッチＯＦＦ状態の維持）。
【００２６】
以上のように構成されたクローズドフェースリールの作用効果について説明する。  
図１は、釣糸巻き取り可能状態であり、釣糸Ｓは、ピックアップピン３５のピン３５ｂに係止され、ロータ３０が回転駆動されることによって、スプール３に巻回される状態となっている。このとき、ピックアップピン３５のピン３５ｂは、引張バネ３８による付勢力によってロータ３０の円周壁３０ａの表面から突出した状態に維持されている。また、このとき、ピックアップピンの本体部３５ａは、切換え部材２５の外周から離間した位置に保持しておくことが可能となり、これにより、釣糸巻き取り操作しても、ピックアップピン３５に摩擦抵抗力が作用することなく、軽快な巻き取り操作が行えるようになる。
【００２７】
そして、この状態から、操作部材４３の操作部４３ａを引き上げて回動操作すると、操作部材４３は、時計回り方向に回動され、図３に示すように、摺動軸２０は付勢バネ２２の付勢力に抗してスプール側に移動される。このとき、操作部材４３の係合部４３ｄが回動部材５１の他方の片５３に当接しながら回動部材５１を回動（図１において反時計回り方向）させ、一方の片部５２を、釣糸放出状態を維持する位置へ回動させる（図３参照）。また、これに伴い、切換え部材２５も一体的に移動され、その表面２５ａがプレートの傾斜舌片３７ｃと面接触するようになり、その傾斜関係により、プレート３７を下方に押し下げると共に、最終的に、切換え部材２５の外周面２５ｄに傾斜舌片３７ｃの押し下げ面３７ｄが乗り上げる。
【００２８】
このとき、プレート３７は、引張バネ３８の付勢力に抗して押し下げられた状態にあり、ロータ３０の円周壁３０ａから突出した状態にあるピン３５ｂは、強制的に釣糸放出位置となるロータ３０の内部に沈み込み、その状態が維持される。なお、切換え部材２５は釣糸挟持機能を備えていることから、釣糸Ｓは、切換え部材の表面２５ａとカバー部材４０の内面との間で挟持された状態で、釣糸挿通孔４０ａから導出される。
【００２９】
この状態で、釣竿をキャスティングしながら操作部材４３の操作部４３ａから指を離すと、釣糸の挟持状態が解消されて、仕掛けが放出される。このとき、摺動軸２０及び操作部材４３は、付勢バネ２２の付勢力によって、図５に示す状態に戻されており、切換え部材２５は、その外周面２５ｄに押し下げ面３７ｄが乗ったままで、操作部材４３の後端面４３ｃが回動部材５１の一方の片５２に当て付き、その状態が維持されている（釣糸放出状態が維持される）。
【００３０】
そして、この状態で、操作部材４３の操作部４３ａを押し下げ操作すると、摺動軸２０は、リール本体側に移動され、切換え部材２５の下面２５ｄは、押し下げ面３７ｄから外れる（図６参照）。このとき、ピックアップピン３５は、プレート３７に固定された引張バネ３８の付勢力により、プレート３７と共に押し上げられ、これと共に回動部材５１は、一方の片５２に当て付いている操作部材４３の後端面４３ｃにより回動されて、図１に示す釣糸巻き取り状態に振り分け保持される。
【００３１】
上記した構成によれば、ロータ外周面より径方向外方に突出する方向に付勢されたピックアップピン３５を、リール本体に設けた操作部材４３の操作によって、ロータ外周面から突出しない釣糸放出位置に付勢力に抗して強制的に切換えるようにしているため、ロータ外周面からのピックアップピン３５の突出量が常時安定するようになり、この結果、巻き取り操作時における釣糸のピックアップ不良が確実に防止できる。また、ロータ外周面から突出しているピックアップピンは、切換え部材２５によって強制的に釣糸放出位置に切換えられるため、釣糸によってピックアップピンに負荷が加わっている場合でも、確実にロータ外周面からピックアップピンを引っ込めることができ、釣糸が放出できなくなる問題を回避することが可能となる。
【００３２】
さらに、釣糸巻き取り操作時におけるロータ回転時において、ピックアップピン３５の本体部３５ａを切換え部材等に対して、接触しないように離間保持させることが可能となるため、ハンドル巻き取り操作時に、ピックアップピンに摩擦抵抗が加わることがなくなって、ハンドルの軽快な巻き取り操作が行なえると共に、ピックアップピンが磨耗することも防止できる。
【００３３】
本発明は、ピックアップピンをロータ外周面から突出するように付勢し、かつ操作部材の操作によって、強制的にピックアップピンをロータ内に引き込ませるように構成されていれば良く、リールの全体構成や、操作部材と連動して強制的にピックアップピンを引き込ませる切換え部材の構成については、適宜変形することが可能である。例えば、上記した実施形形態では、ピックアップピンを保持するプレート３７は、引張バネ３８によって引き上げるように構成していたが、図７及び図８に示すように、ロータ３０の前面壁３０ｂの両サイドに形成された厚肉部３０ｆに収容凹部３０ｈを形成しておき、ここに圧縮バネ６８を収容すると共に、端部をプレート３７の突部３７ｆに固定して、プレート３７を上方に向けて押し上げ付勢するような構成であっても良い。この場合、厚肉部３０ｆには、突部３７ｆの上下位置を規制するための凹所３３が形成されており、圧縮バネ６８によってプレート３７が押し上げられた状態では、上方規制部３３ａに当て付く（このとき、ピックアップピン３５のピン３５ｂは、ロータ３０の外周面から所定量突出した状態が維持される）。また、プレート３７が、上記した切換え部材２５によって、強制的に下方にスライドされた状態では、下方規制部３１ｂに当て付く（このとき、ピックアップピン３５のピン３５ｂは、ロータ３０内部に没した状態となる）。
【図面の簡単な説明】
【００３４】
【図１】本発明に係るクローズドフェースリールの一実施形態を示す図であり、釣糸巻き取り時における内部構成を示す図。
【図２】図１のＡ−Ａ線に沿った断面図。
【図３】操作部材を引き上げ操作した際の内部構成を示す図。
【図４】図３のＢ−Ｂ線に沿った断面図。
【図５】操作部材を初期位置に戻した際の内部構成を示す図。
【図６】操作部材を押し下げ操作した際の内部構成を示す図。
【図７】上記した実施形態の変形例を示す図であり、図２に対応した釣糸巻き取り状態を示す断面図。
【図８】図７に示す変形例において、図４に対応した釣糸放出状態を示す断面図。
【符号の説明】
【００３５】
１  クローズドフェースリール
２  リール本体
３  スプール
２５  切換え部材
３０  ロータ
３５  ピックアップピン
４３  操作部材
【図１】
2005095087.tif 000003
【図２】
2005095087.tif 000004
【図３】
2005095087.tif 000005
【図４】
2005095087.tif 000006
【図５】
2005095087.tif 000007
【図６】
2005095087.tif 000008
【図７】
2005095087.tif 000009
【図８】
2005095087.tif 000010